(57)【特許請求の範囲】
【請求項１】
移動端末が接続可能でかつ各々通信方式の異なる複数の通信網からなり、前記複数の通信網各々がインタネットプロトコルを用いてインタネットに接続される通信システムであって、
前記移動端末に対する課金情報の管理やサービスの提供を行う情報サービス網と、前記情報サービス網に設けられかつ前記移動端末がどの網内に存在するのかを常に管理して受信したデータを適切な網に前記インタネットを介して配送するＭｏｂｉｌｅ  ＩＰ（Ｉｎｔｅｒｎｅｔ  Ｐｒｏｔｏｃｏｌ）のＨＡ（Ｈｏｍｅ  Ａｇｅｎｔ）装置と、前記複数の通信網各々に設けられかつ前記移動端末がその配下にいる時に当該移動端末の位置登録要求を前記ＨＡ装置に送信するとともに前記ＨＡ装置から前記インタネットを介して配送されたデータを前記移動端末に転送する前記Ｍｏｂｉｌｅ  ＩＰのＦＡ（Ｆｏｒｉｇｎ  Ａｇｅｎｔ）装置とを有し、
前記ＨＡ装置と前記ＦＡ装置との間の位置登録要求及びそれに対する応答とによって前記複数の通信網間の通信と前記複数の通信網間をまたがった通信の継続とを自在とし、
前記複数の通信網各々に設けられかつ自通信網の料金情報を前記インタネットを介して送信するＡＡＡＬ（Ａｕｔｈｅｎｔｉｃａｔｉｏｎ，Ａｕｔｈｏｒｉｚａｔｉｏｎａ  ａｎｄ  Ａｃｃｏｕｎｔｉｎｇ  Ｌｏｃａｌ）装置と、前記情報サービス網に設けられかつ前記ＡＡＡＬ装置から前記インタネットを介して送信されてきた前記料金情報を基に前記移動端末の課金情報を管理するＡＡＡＨ（Ａｕｔｈｅｎｔｉｃａｔｉｏｎ，Ａｕｔｈｏｒｉｚａｔｉｏｎａ  ａｎｄ  Ａｃｃｏｕｎｔｉｎｇ  Ｈｏｍｅ）装置とを含むことを特徴とする通信システム。
【請求項２】
前記複数の通信網は、少なくとも移動通信網、一般公衆電話網、プライベート網を含むことを特徴とする請求項１記載の通信システム。
【請求項３】
前記ＨＡ装置は、前記ＦＡ装置から送信されてくる前記位置登録要求に応じて前記移動端末の位置登録を行うよう構成したことを特徴とする請求項１または請求項２記載の通信システム。
【請求項４】
前記ＡＡＡＬ装置は、前記ＦＡ装置を介して入力される前記移動端末の位置登録要求に付加された料金情報を基に前記位置登録の可否を判断するよう構成したことを特徴とする請求項１から請求項３のいずれか記載の通信システム。
【請求項５】
前記ＡＡＡＬ装置は、前記料金情報を基に料金が安い通信網を自動的に判断して前記位置登録の可否を判断するよう構成したことを特徴とする請求項４記載の通信システム。
【請求項６】
前記ＡＡＡＬ装置と前記ＡＡＡＨ装置との間で授受される料金情報を利用して簡易預金支払機機能を持たせるよう構成したことを特徴とする請求項１から請求項５のいずれか記載の通信システム。
【請求項７】
移動端末が接続可能でかつ各々通信方式の異なる複数の通信網からなり、前記複数の通信網各々がインタネットプロトコルを用いてインタネットに接続される通信システムにおける任意の通信網利用方法であって、
前記移動端末に対する課金情報の管理やサービスの提供を行う情報サービス網に前記移動端末がどの網内に存在するのかを常に管理して受信したデータを適切な網に前記インタネットを介して配送するＭｏｂｉｌｅ  ＩＰ（Ｉｎｔｅｒｎｅｔ  Ｐｒｏｔｏｃｏｌ）のＨＡ（Ｈｏｍｅ  Ａｇｅｎｔ）装置を設け、前記移動端末がその配下にいる時に当該移動端末の位置登録要求を前記ＨＡ装置に送信するとともに前記ＨＡ装置から前記インタネットを介して配送されたデータを前記移動端末に転送する前記Ｍｏｂｉｌｅ  ＩＰのＦＡ（Ｆｏｒｉｇｎ  Ａｇｅｎｔ）装置を前記複数の通信網各々に設け、
前記ＨＡ装置と前記ＦＡ装置との間の位置登録要求及びそれに対する応答とによって前記複数の通信網間の通信と前記複数の通信網間をまたがった通信の継続とを自在とし、
自通信網の料金情報を前記インタネットを介して送信するＡＡＡＬ（Ａｕｔｈｅｎｔｉｃａｔｉｏｎ，Ａｕｔｈｏｒｉｚａｔｉｏｎａ  ａｎｄ  Ａｃｃｏｕｎｔｉｎｇ  Ｌｏｃａｌ）装置を前記複数の通信網各々に設け、前記ＡＡＡＬ装置から前記インタネットを介して送信されてきた前記料金情報を基に前記移動端末の課金情報を管理するＡＡＡＨ（Ａｕｔｈｅｎｔｉｃａｔｉｏｎ，Ａｕｔｈｏｒｉｚａｔｉｏｎａ  ａｎｄ  Ａｃｃｏｕｎｔｉｎｇ  Ｈｏｍｅ）装置を前記情報サービス網に設けたことを特徴とする任意の通信網利用方法。
【請求項８】
前記複数の通信網は、少なくとも移動通信網、一般公衆電話網、プライベート網を含むことを特徴とする請求項７記載の任意の通信網利用方法。
【請求項９】
前記ＨＡ装置は、前記ＦＡ装置から送信されてくる前記位置登録要求に応じて前記移動端末の位置登録を行うようにしたことを特徴とする請求項７または請求項８記載の任意の通信網利用方法。
【請求項１０】
前記ＡＡＡＬ装置は、前記ＦＡ装置を介して入力される前記移動端末の位置登録要求に付加された料金情報を基に前記位置登録の可否を判断するようにしたことを特徴とする請求項７から請求項９のいずれか記載の任意の通信網利用方法。
【請求項１１】
前記ＡＡＡＬ装置は、前記料金情報を基に料金が安い通信網を自動的に判断して前記位置登録の可否を判断するようにしたことを特徴とする請求項１０記載の任意の通信網利用方法。
【請求項１２】
前記ＡＡＡＬ装置と前記ＡＡＡＨ装置との間で授受される料金情報を利用して簡易預金支払機機能を持たせるようにしたことを特徴とする請求項７から請求項１１のいずれか記載の任意の通信網利用方法。
【発明の詳細な説明】
【０００１】
【発明の属する技術分野】
本発明は通信システム及びそれに用いる任意の通信網利用方法に関し、特に通信方式の異なる移動通信網や一般公衆電話網、及びプライベート網等の中から任意の通信システムを利用する方法に関する。
【０００２】
【従来の技術】
近年、移動通信網や一般公衆電話網、及びプライベート網等の任意の通信システムにおいては、それぞれＩＰ（Ｉｎｔｅｒｎｅｔ  Ｐｒｏｔｏｃｏｌ）を利用してインタネットに接続可能となっており、インタネットを通して相互にデータの授受が可能となっている。
【０００３】
一般公衆電話網は有線による電話網であり、交換機が各家庭や企業の電話機につながっている。その電話機には移動端末がＢｌｕｅｔｏｏｔｈやＩｒＤＡ（Ｉｎｆｒａｒｅｄ  Ｄａｔａ  Ａｓｓｏｃｉａｔｉｏｎ）等の無線、もしくはケーブルで接続される。
【０００４】
一般公衆電話網はＰＳＴＮ（Ｐｕｂｌｉｃ  Ｓｗｉｔｃｈｅｄ  Ｔｅｌｅｐｈｏｎ  Ｎｅｔｗｏｒｋ）と呼ばれ、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）も含まれる。電話機は公衆電話でも良い。
【０００５】
移動通信網は基地局を利用して無線によって移動端末を収容する網であり、ＰＤＣ（Ｐｅｒｓｏｎａｌ  Ｄｉｇｉｔａｌ  Ｃｅｌｌｅｒ）、ＣＤＭＡ（Ｃｏｄｅ  Ｄｉｖｉｓｉｏｎ  Ｍｕｌｔｉｐｌｅ  Ａｃｃｅｓｓ）、ＰＨＳ（Ｐｅｒｓｏｎａｌ  Ｈａｎｄｙｐｈｏｎｅ  Ｓｙｓｔｅｍ）等がある。
【０００６】
プライベートＩＰ網はＩＰによって構築された網で、イントラネットと呼ばれ、企業のＬＡＮ（Ｌｏｃａｌ  Ａｒｅａ  Ｎｅｔｗｏｒｋ）やＳＯＨＯ（Ｓｍａｌｌ  Ｏｆｆｉｃｅ  Ｈｏｍｅ  Ｏｆｆｉｃｅ）等に利用されている。プライベートＩＰ網内のアダプタには無線もしくはケーブルで移動端末を接続することで、プライベートＩＰ網内に存在するホスト端末と同じ動作を行うことができる。
【０００７】
【発明が解決しようとする課題】
しかしながら、従来の移動通信網を用いた移動通信システムでは、移動端末が移動通信網内のみしか移動することができないため、一般公衆電話網や他の網を利用する場合には端末を変更する必要がある。
【０００８】
また、移動端末によって移動通信網以外の網を利用する場合、各網の利用料金の課金システムがそれぞれの網で独立しているため、それぞれの網の利用料金を別々に支払う必要がある。
【０００９】
そこで、本発明の目的は上記の問題点を解消し、移動端末によって移動通信網以外の網を利用する場合でも、同じ端末で通信を行うことができ、かつ網をまたがっても通信を継続可能とすることができる通信システム及びそれに用いる任意の通信網利用方法を提供することにある。
【００１０】
本発明の他の目的は、各網の利用料金の一括管理を行うことができる通信システム及びそれに用いる任意の通信網利用方法を提供することにある。
【００１１】
【課題を解決するための手段】
本発明による通信システムは、移動端末が接続可能でかつ各々通信方式の異なる複数の通信網からなり、前記複数の通信網各々がインタネットプロトコルを用いてインタネットに接続される通信システムであって、
前記移動端末に対する課金情報の管理やサービスの提供を行う情報サービス網と、前記情報サービス網に設けられかつ前記移動端末がどの網内に存在するのかを常に管理して受信したデータを適切な網に前記インタネットを介して配送するＭｏｂｉｌｅ  ＩＰ（Ｉｎｔｅｒｎｅｔ  Ｐｒｏｔｏｃｏｌ）のＨＡ（Ｈｏｍｅ  Ａｇｅｎｔ）装置と、前記複数の通信網各々に設けられかつ前記移動端末がその配下にいる時に当該移動端末の位置登録要求を前記ＨＡ装置に送信するとともに前記ＨＡ装置から前記インタネットを介して配送されたデータを前記移動端末に転送する前記Ｍｏｂｉｌｅ  ＩＰのＦＡ（Ｆｏｒｉｇｎ  Ａｇｅｎｔ）装置とを備え、
前記ＨＡ装置と前記ＦＡ装置との間の位置登録要求及びそれに対する応答とによって前記複数の通信網間の通信と前記複数の通信網間をまたがった通信の継続とを自在とし、
前記複数の通信網各々に設けられかつ自通信網の料金情報を前記インタネットを介して送信するＡＡＡＬ（Ａｕｔｈｅｎｔｉｃａｔｉｏｎ，Ａｕｔｈｏｒｉｚａｔｉｏｎａ  ａｎｄ  Ａｃｃｏｕｎｔｉｎｇ  Ｌｏｃａｌ）装置と、前記情報サービス網に設けられかつ前記ＡＡＡＬ装置から前記インタネットを介して送信されてきた前記料金情報を基に前記移動端末の課金情報を管理するＡＡＡＨ（Ａｕｔｈｅｎｔｉｃａｔｉｏｎ，Ａｕｔｈｏｒｉｚａｔｉｏｎａ  ａｎｄ  Ａｃｃｏｕｎｔｉｎｇ  Ｈｏｍｅ）装置とを具備している。
【００１３】
本発明による通信システムにおける任意の通信網利用方法は、移動端末が接続可能でかつ各々通信方式の異なる複数の通信網からなり、前記複数の通信網各々がインタネットプロトコルを用いてインタネットに接続される通信システムにおける任意の通信網利用方法であって、
前記移動端末に対する課金情報の管理やサービスの提供を行う情報サービス網に前記移動端末がどの網内に存在するのかを常に管理して受信したデータを適切な網に前記インタネットを介して配送するＭｏｂｉｌｅ  ＩＰ（Ｉｎｔｅｒｎｅｔ  Ｐｒｏｔｏｃｏｌ）のＨＡ（Ｈｏｍｅ  Ａｇｅｎｔ）装置を設け、前記移動端末がその配下にいる時に当該移動端末の位置登録要求を前記ＨＡ装置に送信するとともに前記ＨＡ装置から前記インタネットを介して配送されたデータを前記移動端末に転送する前記Ｍｏｂｉｌｅ  ＩＰのＦＡ（Ｆｏｒｉｇｎ  Ａｇｅｎｔ）装置を前記複数の通信網各々に設け、
前記ＨＡ装置と前記ＦＡ装置との間の位置登録要求及びそれに対する応答とによって前記複数の通信網間の通信と前記複数の通信網間をまたがった通信の継続とを自在とし、
自通信網の料金情報を前記インタネットを介して送信するＡＡＡＬ（Ａｕｔｈｅｎｔｉｃａｔｉｏｎ，Ａｕｔｈｏｒｉｚａｔｉｏｎａ  ａｎｄ  Ａｃｃｏｕｎｔｉｎｇ  Ｌｏｃａｌ）装置を前記複数の通信網各々に設け、前記ＡＡＡＬ装置から前記インタネットを介して送信されてきた前記料金情報を基に前記移動端末の課金情報を管理するＡＡＡＨ（Ａｕｔｈｅｎｔｉｃａｔｉｏｎ，Ａｕｔｈｏｒｉｚａｔｉｏｎａ  ａｎｄ  Ａｃｃｏｕｎｔｉｎｇ  Ｈｏｍｅ）装置を前記情報サービス網に設けている。
【００１５】
すなわち、本発明の移動通信システムは、移動通信網や一般公衆電話網、及びプライベート網等の任意の通信網に接続可能な通信システムにおいて、携帯電話端末の設定を変えることなく、そのまま利用可能としたことを特徴としている。
【００１６】
本発明の移動通信システムは、移動通信網や一般公衆電話網、及びプライベート網等の各網にインタネットに接続されたＭｏｂｉｌｅ  ＩＰのＦＡ（Ｆｏｒｉｇｎ  Ａｇｅｎｔ）機能を持たせ、携帯電話端末等の移動端末がその網配下にいる場合、位置登録要求を情報サービス網のＭｏｂｉｌｅ  ＩＰのＨＡ（ＨｏｍｅＡｇｅｎｔ）機能を持つ装置へ送信し、ＨＡ機能は移動端末がどの網内のＦＡに存在するのかを常に管理することで、受信したデータを適切な網に配送することが可能となる。
【００１７】
このようにして、本発明では、移動端末がどの網に移動しても、その網内のＦＡから情報サービス網のＨＡへ位置登録が行われるので、どの網へ移動しても、移動端末の設定を変更することなく、その網配下でサービスを利用することが可能となる上、他の網から移ってきた場合でもその通信が継続可能となる。
【００１８】
また、それぞれの網の利用料金を各網のＡＡＡＬ（Ａｕｔｈｅｎｔｉｃａｔｉｏｎ，Ａｕｔｈｏｒｉｚａｔｉｏｎａ  ａｎｄ  Ａｃｃｏｕｎｔｉｎｇ  Ｌｏｃａｌ）から情報サービス網のＡＡＡＨ（Ａｕｔｈｅｎｔｉｃａｔｉｏｎ，Ａｕｔｈｏｒｉｚａｔｉｏｎａ  ａｎｄ  Ａｃｃｏｕｎｔｉｎｇ  Ｈｏｍｅ）へ通知する機能を有することで、利用者は移動端末の設定を変更することなく、料金の異なる網を利用することが可能となる。
【００１９】
【発明の実施の形態】
次に、本発明の一実施例について図面を参照して説明する。図１は本発明の一実施例による通信システムの構成を示すブロック図である。図１において、本発明の一実施例による通信システムは情報サービス網１と、一般公衆電話網１１と、移動通信網２１と、プライベートＩＰ（Ｉｎｔｅｒｎｅｔ  Ｐｒｏｔｏｃｏｌ）網３１と、スーパ／コンビニ網４１とがそれぞれインタネット５１に接続されて構成されている。
【００２０】
情報サービス網１は課金情報の管理やサービスの提供を行う会社が運営する網であり、インタネット５１にＩＰを利用して接続される。また、情報サービス網１はＭｏｂｉｌｅ  ＩＰのＨＡ（Ｈｏｍｅ  Ａｇｅｎｔ）装置２と、移動端末がどの網に移動したかを管理しかつ認証を行ったり課金情報を受取ることができるＡＡＡＨ（Ａｕｔｈｅｎｔｉｃａｔｉｏｎ，Ａｕｔｈｏｒｉｚａｔｉｏｎａ  ａｎｄ  Ａｃｃｏｕｎｔｉｎｇ  Ｈｏｍｅ）装置３と、ＶｏＩＰ（Ｖｏｉｃｅ  ｏｖｅｒ  ＩＰ）装置４と、サービス装置５とから構成されている。ここで、Ｍｏｂｉｌｅ  ＩＰはＩＰの標準であるＲＦＣ２００２に基づいている。
【００２１】
ＶｏＩＰ装置４はＶｏＩＰ（Ｖｏｉｃｅ  ｏｖｅｒ  ＩＰ）によってインタネット５１との音声データを実際の音声に変換し、一般公衆電話網１１と接続するととともに、移動通信網２１と直接接続することもできる。
【００２２】
サービス装置５は電子メール（Ｍａｉｌ）やＷＷＷ（Ｗｏｒｌｄ  Ｗｉｄｅ  Ｗｅｂ）サーバ、移動端末に特化したＷＡＰ（Ｗｉｒｅｌｅｓｓ  Ａｐｐｌｉｃａｔｉｏｎ  Ｐｒｏｔｏｃｏｌ）サーバ等の任意のアプリケーションサーバが設置可能となっている。尚、インタネット５１はイントラネット等のプライベートＩＰ網であってもかまわない。
【００２３】
情報サービス網１以外の一般公衆電話網１１、移動通信網２１、プライベートＩＰ網３１、スーパー／コンビニ網４１等の様々な網はＩＰを利用してインタネット５１につながっている。
【００２４】
一般公衆電話網１１、移動通信網２１、プライベートＩＰ網３１、スーパー／コンビニ網４１等の様々な網には、移動端末１７，２５，３５，４５がその網の配下に存在することを認識すると、移動した先を管理する情報サービス網１内のＨＡ装置２に位置登録を行うＭｏｂｉｌｅ  ＩＰのＦＡ（Ｆｏｒｉｇｎ  Ａｇｅｎｔ）装置１２，２２，３２，４２と、情報サービス網１内にあるＡＡＡＨ装置３と認証を行ったり、課金情報を通知することができるＡＡＡＬ（Ａｕｔｈｅｎｔｉｃａｔｉｏｎ，Ａｕｔｈｏｒｉｚａｔｉｏｎａ  ａｎｄ  Ａｃｃｏｕｎｔｉｎｇ  Ｌｏｃａｌ）装置１３，２３，３３，４３とを有している。
【００２５】
一般公衆電話網１１は有線による電話網であり、交換機１４を通して各家庭や企業の電話機１５，１６につながっており、この電話機１６と移動端末１７とはＢｌｕｅｔｏｏｔｈやＩｒＤＡ（Ｉｎｆｒａｒｅｄ  Ｄａｔａ  Ａｓｓｏｃｉａｔｉｏｎ）等の無線、もしくはケーブルで接続可能となっている。この場合、電話機１５，１６は公衆電話でも良い。
【００２６】
一般公衆電話網１１はＰＳＴＮ（Ｐｕｂｌｉｃ  Ｓｗｉｔｃｈｅｄ  Ｔｅｌｅｐｈｏｎ  Ｎｅｔｗｏｒｋ）と呼ばれ、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）も含まれる。
【００２７】
交換機１４は情報サービス網１内のＶｏＩＰ装置４と接続されており、音声データをそのまま送受信する。一般公衆電話網１１においてインタネット５１を利用する場合は、パケットデータ通信を行う場合か、音声データをインタネット５１上で送受信できるデータパケットに変換する機能を交換機１４か移動端末１７に持ち、音声通話を行う場合であり、交換機１４はＦＡ装置１２とパケットデータを送受信する。
【００２８】
移動通信網２１は基地局２６，２７を利用して無線によって移動端末２５を収容する網であり、ＰＤＣ（Ｐｅｒｓｏｎａｌ  Ｄｉｇｉｔａｌ  Ｃｅｌｌｅｒ）、ＣＤＭＡ（Ｃｏｄｅ  Ｄｉｖｉｓｉｏｎ  Ｍｕｌｔｉｐｌｅ  Ａｃｃｅｓｓ）、ＰＨＳ（Ｐｅｒｓｏｎａｌ  Ｈａｎｄｙｐｈｏｎｅ  Ｓｙｓｔｅｍ）等がある。移動通信網内２１の交換機２４や基地局２６，２７は一例を示しただけであり、網内の構成はこれに限定されるものではない。
【００２９】
移動通信網２１においてインタネット５１を利用する場合は、パケットデータ通信を行う場合か、音声データをインタネット５１上で送受信できるデータパケットに変換する機能を交換機２４か移動端末２５に持ち、音声通話を行う場合であり、交換機２４はＦＡ装置２２とパケットデータを送受信する。
【００３０】
プライベートＩＰ網３１はＩＰによって構築された網で、イントラネットと呼ばれ、企業のＬＡＮ（Ｌｏｃａｌ  Ａｒｅａ  Ｎｅｔｗｏｒｋ）やＳＯＨＯ（Ｓｍａｌｌ  Ｏｆｆｉｃｅ  Ｈｏｍｅ  Ｏｆｆｉｃｅ）等に利用されている。
【００３１】
プライベートＩＰ網３１内のアダプタ３４と、無線もしくはケーブルで移動端末３５が接続され、プライベートＩＰ網３１内に存在するホスト（ＨＯＳＴ）端末３６と同じ動作を行うことができる。音声通話を行う場合は、音声データをインタネット５１上で送受信できるデータパケットに変換する機能をアダプタ３４か移動端末３５に持ち、アダプタ３４はＦＡ装置３２とパケットデータを送受信する。
【００３２】
スーパ／コンビニ網４１はプライベートＩＰ網の一種であり、各店に設置されているＰＯＳ（Ｐｏｉｎｔ  Ｏｆ  Ｓａｌｅｓ）端末４４，４６と、無線もしくはケーブルで移動端末４５とが接続されている。
【００３３】
このスーパ／コンビニ網４１においては、ＰＯＳ端末４４をアダプタ３４、移動端末４５を移動端末３５と置き換えれば、上記プライベートＩＰ網３１と同じ構成となる。
【００３４】
ホスト端末５２はインタネット５１に接続された端末で、移動端末１７，２５，３５，４５とパケットデータ通信を行う。
【００３５】
この図１を参照して、本発明の一実施例によるネットワーク構成において、移動端末が移動通信網２１配下にあり、移動端末２５として存在する時について説明する。
【００３６】
移動通信網２１は交換機２４によって移動端末２５が無線と基地局２６，２７とを利用して接続される。交換機２４は移動通信網２１内に移動端末２５が存在することを情報サービス網１のＨＡ機能２へインタネット５１を介して通知する機能を持つＦＡ装置２２に接続されている。ＡＡＡＬ装置２３は移動通信網２１内で移動端末２５が利用できることを認証し、移動通信網２１の課金情報を情報サービス網１のＡＡＡＨ装置３へ通知する機能を有する。
【００３７】
また、情報サービス網１内のＶｏＩＰ装置４はインタネット５１と一般公衆電話網１１とに接続されており、インタネット５１から受信したパケットに搭載された音声パケットを実際の音声データに変換して一般公衆電話網１１へ送信する機能と、その逆を行う機能とを有している。
【００３８】
図２〜図７は本発明の一実施例による通信システムの動作を示すシーケンスチャートである。これら図１〜図８を参照して本発明の一実施例による通信システムの動作について説明する。
【００３９】
図２を参照すると、位置登録を行う際のシーケンスを示している。まず最初に、移動端末２５はＦＡ装置２２へ位置登録要求を送信する。ＦＡ装置２２は移動通信網２１内のＡＡＡＬ装置２３へ認証要求を送信する。
【００４０】
ＡＡＡＬ装置２３は移動端末２５の認証情報を確認する。より具体的には、この移動通信網２１内で移動端末２５が利用できるように登録されているかどうかの確認を行う。確認が取れた場合、ＡＡＡＬ装置２３は情報サービス網１内のＡＡＡＨ装置３向けに認証要求を送信する。
【００４１】
ＡＡＡＨ装置３は移動端末２５の認証情報を確認する。より具体的には、この情報サービス網１内で移動端末２５が登録されているかどうかの確認を行う。確認が取れた場合、ＡＡＡＨ装置３はＡＡＡＬ装置２３向けに認証確認を送信し、ＡＡＡＬ装置２３はＦＡ装置２２へ認証確認を送信する。
【００４２】
ＦＡ装置２２は認証確認が取れた時点で、情報サービス網１内のＨＡ装置２向けに位置登録要求を送信する。ＨＡ装置２は移動端末２５がＦＡ装置２２配下に存在することを認識し、ＦＡ装置２２へ位置登録応答を送信する。ＦＡ装置２２は移動端末２５へ位置登録応答を送信し、一連の位置登録は完了する。
【００４３】
次に、図３を参照してホスト端末５２と移動端末２５とがパケット通信する場合について考える。この場合、Ｉｎｔｅｒｎｅｔの標準資料であるＲＦＣ２００２他にしたがってＭｏｂｉｌｅ  ＩＰの手順を利用する。
【００４４】
ホスト端末５２が移動端末２５へデータを送ると、まず、ＨＡ装置２がデータを補足する。ＨＡ装置２はパケットをＦＡ装置２２の宛先にカプセル化して送信する。ＦＡ装置２２はそのカプセル化したデータを取出し、配下の交換機２４へ送信すると、無線を利用して移動端末２５へ到達する。
【００４５】
逆に、移動端末２５がホスト端末５２へデータを送る時には、まず、無線を利用して交換機２４からＦＡ装置２２へデータが送信される。ＦＡ装置２２はそのままインタネット５１へデータを送信すると、ホスト端末５２へデータが到達する。
【００４６】
さらに、図４を参照して音声で一般公衆電話網１１に接続された電話機１５と音声通話する場合について考える。移動端末２５が音声データをパケットデータに変換して移動通信網２１内の交換機２４へパケットデータとして送出するか、移動端末２５が音声データのまま移動通信網２１内へ送信し、交換機２４内で音声データからパケットデータに変換する。
【００４７】
このパケットデータの送信先は情報サービス網１内のＶｏＩＰ装置４であり、交換機２４からＦＡ装置２２を通って、ＶｏＩＰ装置４にパケットデータが送信される。
【００４８】
ＶｏＩＰ装置４では送られてきたパケットデータを音声データに変換する機能を持っており、音声データは一般公衆電話網１１に接続された回線によって一般公衆電話網１１内の交換機１４に運ばれ、一般公衆電話網内１１の手順によって電話機１５に送信される。
【００４９】
逆に、電話機１５から送信された音声データは一般公衆電話網１１内の交換機１４を通って、情報サービス網１内のＶｏＩＰ装置４へ送信される。ＶｏＩＰ装置４は音声データをパケットデータに変換し、移動端末２５宛にパケットデータを送信する。移動端末２５宛のパケットデータはＭｏｂｉｌｅ  ＩＰの手順によってＨＡ装置２で捕捉され、ＦＡ装置２２へ送信される。
【００５０】
ＦＡ装置２２はパケットデータを取出して配下の交換機２４へ送信し、無線を利用して移動端末２５へ到達する。パケットデータは交換機２４または移動端末２５で音声データに変換され、音声通話を行うことが可能になる。この場合、移動通信網２１内に存在する移動端末２５と同様の手順によって通信することも可能である。
【００５１】
次に、移動端末が一般公衆電話網に接続された電話機に無線もしくはケーブルによって接続された移動端末１７の位置にある場合について考える。図５を参照すると、位置登録を行う際のシーケンスが示されている。
【００５２】
まず最初に、移動端末１７は無線もしくはケーブルで電話機１６に接続されており、ＦＡ装置１２へ位置登録要求を送信する。ＦＡ装置１２は一般公衆電話網１１内のＡＡＡＬ装置１３へ認証要求を送信する。ＡＡＡＬ装置１３は移動端末１７の認証情報を確認する。確認が取れた場合は、ＡＡＡＬ装置１３は情報サービス網１内のＡＡＡＨ装置３向けに認証要求を送信する。
【００５３】
ＡＡＡＨ装置３は移動端末１７の認証情報を確認する。確認が取れた場合、ＡＡＡＨ装置３はＡＡＡＬ装置１３向けに認証確認を送信し、ＡＡＡＬ装置１３はＦＡ装置１２へ認証確認を送信する。ＦＡ装置１２は認証確認が取れた時点で、情報サービス網１内のＨＡ装置２向けに位置登録要求を送信する。ＨＡ装置２は移動端末１７がＦＡ装置１２配下に存在することを認識し、ＦＡ装置１２へ位置登録応答を送信する。ＦＡ装置１２は移動端末１７へ位置登録応答を送信し、一連の位置登録が完了する。
【００５４】
上述した移動通信網２１でパケット通信、音声通信を行う手順と同様に、一般公衆電話網１１内でも同じ手順でパケット通信、音声通信を行うことができる。また、Ｍｏｂｉｌｅ  ＩＰの位置登録を迅速に行うことで、通信したまま移動通信網２１から一般公衆電話網１１に接続された電話機１６に接続することやその逆も可能であり、移動端末１７が現在利用できる任意の網の中から、一番安い料金設定の網を自動的に判断して接続することができる。
【００５５】
より具体的に、外出先では移動通信網２１を利用して携帯電話として利用しながら自宅へ戻り、一般公衆電話網１１に接続された電話機１６を移動端末が検出した瞬間に電話機１６に接続を切替え、料金設定の安い網を自動的に利用することが可能である。
【００５６】
この時のシーケンスについて図６を用いて説明する。この場合、ホスト端末５２とのパケット通信を例としているが、音声通信でも同じである。移動通信網２１でＨＡ装置２へ位置登録要求を行うシーケンスは、図２に示すシーケンスと同じである。
【００５７】
移動端末２５が一般公衆電話網１１に接続された電話機１６を検出した時、移動端末１７として、図５と同じシーケンスによってＨＡ装置２へ位置登録が行われる。位置登録が完了した後、ＨＡ装置２は今までＦＡ装置２２へ送信していたデータをＦＡ装置１２へ送信するように変更し、その通信が継続される。
【００５８】
移動端末２５が移動通信網２１内から存在しなくなったことを検出した交換機２４は、ＦＡ装置２２へ切断要求を行う。ＦＡ装置２２はＡＡＡＬ装置２３へ切断要求を行い、ＡＡＡＬ装置２３はＡＡＡＨ装置３へ切断情報に加えて課金情報を通知し、移動通信網２１から移動端末２５が解放される。
【００５９】
新しい網を検出した時、通信料金が高い場合には切替えを行わない方法を図７に示す。図７においては、一般公衆網１１を利用して通信を行っている場合に、移動通信網２１内にいることを検出した時の動作について示しており、一般公衆電話網１１よりも移動通信網２１の方が通信料金が高い場合を示している。一般公衆電話網１１を利用して位置登録を行う方法は、図５に示すシーケンスと同じである。
【００６０】
通信中に、移動通信網２１内にいることを検出した場合、移動端末２５として位置登録要求をＦＡ装置２２へ送信する。位置登録要求の中には現在の通信料金情報、例えば１分１０円という情報を含んでおり、ＦＡ装置２２からＡＡＡＬ装置２３への認証要求にはその通信料金情報が含まれている。
【００６１】
ＡＡＡＬ装置２３では移動通信網２１の料金の方が高いことを確認した場合、ＡＡＡＬ装置３へ認証要求を送信することなく、ＦＡ装置２２へ認証不可を応答する。ＦＡ装置２２は位置登録不可の情報を移動端末２５へ送信することで、移動端末２５は一般公衆電話網１１で通信を継続する。移動端末１７が一般公衆電話網１１からはずれた場合には、即座に新しい移動通信網２１を検出し、通信料金情報に関わらず位置登録を行うことで、一般公衆電話網１１での通信を移動通信網２１へ継続することができる。
【００６２】
さらに、移動端末がプライベートＩＰ網３１配下に移動した場合も上記の手順と同じである。アダプタ３４を利用してプライベートＩＰ網３１に接続された移動端末３５は、ＦＡ装置３２、ＡＡＡＬ装置３３を利用してＡＡＡＨ装置３で認証を行い、ＨＡ装置２を利用してパケットデータ通信、音声通信を行うことができる。
【００６３】
このように、一般公衆電話網１１、移動通信網２１、プライベートＩＰ網３１、スーパ／コンビニ網４１の各網にＭｏｂｉｌｅ  ＩＰのＦＡ機能を有しているので、どの網へ移動端末１７，２５，３５，４５が移動しても、通信を行うことが可能であり、かつ網が変わっても通信を継続することができる。
【００６４】
また、一般公衆電話網１１、移動通信網２１、プライベートＩＰ網３１、スーパ／コンビニ網４１の各網で利用料金の通知を行うことができるので、料金格差がある場合でも利用することができる。
【００６５】
さらに、一般公衆電話網１１、移動通信網２１、プライベートＩＰ網３１、スーパ／コンビニ網４１の各網での通信料金に差がある場合、移動端末１７，２５，３５，４５が安い網を自動的に選択することができる。
【００６６】
図８は本発明の他の実施例による通信システムの動作を示すシーケンスチャートである。本発明の他の実施例による通信システムの基本的構成は図１に示す本発明の一実施例による通信システムの構成と同様であるが、課金情報を通知することができる機能を利用して、さらに適用範囲を広げている。以下、図８を参照して本発明の他の実施例による通信システムの動作について説明する。
【００６７】
スーパ／コンビニ網４１内にはＦＡ装置４２、ＡＡＡＬ装置４３、複数台のＰＯＳ端末４４，４６があり、ＰＯＳ端末４４，４６には無線もしくはケーブルによって移動端末４５が接続される。
【００６８】
スーパ／コンビニ網４１は上述した説明のように、他の網と同じく、ＨＡ装置２へ位置登録要求を行うことで、パケット通信、音声通信ができるのはもちろんであるが、ＰＯＳ端末４４，４６を操作することで、銀行の貯蓄を引出す機能を持つことができる。
【００６９】
移動端末４５から位置登録要求が送信され、ＦＡ装置４２、ＡＡＡＬ装置４３を利用してＨＡ装置２に位置登録が行われる。情報サービス網１は銀行のネットワーク（図示せず）と接続されるか、または情報サービス網１自体が銀行のネットワークである。本実施例では情報サービス網１自体が銀行のネットワークであるとし、サービス装置５には、口座番号と貯蓄情報とが蓄積されているものとする。
【００７０】
移動端末４５を操作して口座番号と暗証番号とを利用し、サービス装置５から貯蓄情報を取得する。さらに、移動端末４５を操作して、引出し希望額をサービス装置５へ通知し、サービス装置５で確認が取れた場合、サービス装置５は移動端末４５へ応答すると同時に、ＰＯＳ端末４４，４６へ貯蓄の引出し額通知を行う。
【００７１】
ＰＯＳ端末４４，４６はスーパ／コンビニの店員が操作できるものでも良いし、自動で行う機械であってもよい。ＰＯＳ端末４４，４６に通知された貯蓄引出し情報を基づいてお金が支払われる。その後、ＰＯＳ端末４４，４６からＦＡ装置４２と移動端末４５との回線の切断が行われる。ＦＡ装置４２への切断に際しては引出し額に手数料を加えた額を課金情報として通知が行われ、ＦＡ装置４２はＡＡＡＬ装置４３へ切断と同時に、その課金情報を通知する。ＡＡＡＬ装置４３は課金情報としてＡＡＡＨ装置３へ通知を行う。
【００７２】
このように、本実施例では課金通知をお金の引出し情報に利用することで、スーパやコンビニ等のＰＯＳ端末４４，４６でお金を引出すことが可能となっている。
【００７３】
【発明の効果】
以上説明したように本発明の通信システムによれば、移動端末が接続可能でかつ各々通信方式の異なる複数の通信網からなり、複数の通信網各々がインタネットプロトコルを用いてインタネットに接続される通信システムにおいて、移動端末に対する課金情報の管理やサービスの提供を行う情報サービス網に移動端末がどの網内に存在するのかを常に管理して受信したデータを適切な網にインタネットを介して配送するＭｏｂｉｌｅ  ＩＰのＨＡ装置を設け、移動端末がその配下にいる時に当該移動端末の位置登録要求をＨＡ装置に送信するとともにＨＡ装置からインタネットを介して配送されたデータを移動端末に転送するＭｏｂｉｌｅＩＰのＦＡ装置を複数の通信網各々に設け、ＨＡ装置とＦＡ装置との間の位置登録要求及びそれに対する応答とによって複数の通信網間の通信と複数の通信網間をまたがった通信の継続とを自在とすることによって、移動端末によって移動通信網以外の網を利用する場合でも、同じ端末で通信を行うことができ、かつ網をまたがっても通信を継続可能とすることができるという効果がある。
【００７４】
本発明の他の通信システムによれば、上記の構成のほかに、自通信網の料金情報をインタネットを介して送信するＡＡＡＬ装置を複数の通信網各々に設け、ＡＡＡＬ装置からインタネットを介して送信されてきた料金情報を基に移動端末の課金情報を管理するＡＡＡＨ装置を情報サービス網に設けることによって、各網の利用料金の一括管理を行うことができるという効果がある。
【図面の簡単な説明】
【図１】本発明の一実施例による通信システムの構成を示すブロック図である。
【図２】本発明の一実施例による通信システムの動作を示すシーケンスチャートである。
【図３】本発明の一実施例による通信システムの動作を示すシーケンスチャートである。
【図４】本発明の一実施例による通信システムの動作を示すシーケンスチャートである。
【図５】本発明の一実施例による通信システムの動作を示すシーケンスチャートである。
【図６】本発明の一実施例による通信システムの動作を示すシーケンスチャートである。
【図７】本発明の一実施例による通信システムの動作を示すシーケンスチャートである。
【図８】本発明の他の実施例による通信システムの動作を示すシーケンスチャートである。
【符号の説明】
１  情報サービス網
２  ＨＡ装置
３  ＡＡＡＨ装置
４  ＶｏＩＰ装置
５  サービス装置
１１  一般公衆電話網
１２，２２，３２，４２  ＦＡ装置
１３，２３，３３，４３  ＡＡＡＬ装置
１４，２４  交換機
１５，１６  電話機
１７，２５，３５，４５  移動端末
２１  移動通信網
２６，２７  基地局
３１  プライベートＩＰ網
３４  アダプタ
３６，５２  ホスト端末
４１  スーパ／コンビニ網
４４，４６  ＰＯＳ端末
５１  インタネット
【図１】
0003570377.tif 000002
【図２】
0003570377.tif 000003
【図３】
0003570377.tif 000004
【図４】
0003570377.tif 000005
【図５】
0003570377.tif 000006
【図６】
0003570377.tif 000007
【図７】
0003570377.tif 000008
【図８】
0003570377.tif 000009